(57)【要約】      （修正有）【課題】電気機器のコード、ケーブル類にまとまりを与えることによって、電気機器の設置された部屋の美観を改善することができるコード巻き取り器具を提供する。【解決手段】コード巻き取り器具１０は、コードを巻き取るための巻き取り部１２と、巻き取り部の両端にあって、巻き取り部の断面積より大きい断面積を有するフランジ部１１ａ，１１ｂと、フランジ部１１ｂに対して開閉可能な脱線防止部１３を備えている。【選択図】図１
0003170737.tif 000002
【実用新案登録請求の範囲】
【請求項１】
コードを巻き取るための巻き取り部と、
前記巻き取り部の両端にあって、前記巻き取り部の外周より長い外周を有するフランジ部と、
前記フランジ部に対して開閉可能な脱線防止部
を備えた、コード巻き取り器具。
【請求項２】
前記フランジ部の表面が略三角形の外観を有する、コード巻き取り器具。
【請求項３】
前記フランジ部が、別のコード巻き取り器具と連結するための連結機構を備えた、コード巻き取り器具。
【考案の詳細な説明】
【技術分野】
【０００１】
本考案は、各種の線材を巻き取るための器具に関し、特に、電化製品に接続された種々のコードを巻き取る器具に関する。
【背景技術】
【０００２】
今日、家庭や職場内においては多数の電化製品が使用されているが、特に、テレビ、パソコン、電話機などのオーディオビジュアル機器や通信機器については、電源ケーブルを始めとする多数のコード、ケーブル類が接続されている。例えば、テレビと外部衛星チューナーを設置した場合、テレビと外部衛星チューナーのそれぞれについて電源ケーブル及びアンテナケーブルの２本が接続された上に、テレビと外部衛星チューナーの間にＨＤＭＩケーブルが接続されることになり、設置された機器から伸びるケーブル類の本数は計５本であるということになる。
【０００３】
設置された機器から伸びるケーブル類の本数は、外部ハードディスクレコーダーやスピーカーなど、接続機器の台数が増える毎に増えて行き、最終的には１０本近いケーブル類がオーディオビジュアル機器から伸びていることも珍しくない。通常、そのような多数のケーブル類は、特に何の配慮もされずに機器からぶら下がって空中又は床面上に所在しているか、機器の背面と壁の間に隠されていることが多い。
【０００４】
機器から乱雑に伸びたケーブル類の存在は、部屋の美観を著しく害することが多い。部屋の形状や室内のコンセントの位置の関係により、電化製品の置ける位置には制約があり、またテレビとレコーダーのような機器相互の関係から、特定の電化製品を近接して配置しなければならない場合もある。そのため、機器の背面にケーブル類を完全に隠すことができる場合は稀であり、通常は乱雑に伸びたケーブル類が部屋の各所で目に付くことによって部屋の美観を害することになる。
【考案の開示】
【考案が解決しようとする課題】
【０００５】
本考案が解決しようとする課題は、部屋の美観を著しく害する電気機器のコード、ケーブル類にまとまりを与えることによって、電気機器の設置された部屋の美観を改善することである。
【課題を解決するための手段】
【０００６】
本考案によるコード巻き取り器具は、コードを巻き取るための巻き取り部と、前記巻き取り部の両端にあって、前記巻き取り部の外周より長い外周を有するフランジ部と、前記フランジ部に対して開閉可能な脱線防止部を備えており、これにより上記課題を解決する。
【０００７】
前記フランジ部の表面は略三角形の外観を有していてもよく、前記フランジ部が別のコード巻き取り器具と連結するための連結機構を備えていてもよい。
【考案の効果】
【０００８】
本考案のコード巻き取り器具によれば、電気機器類から伸びた各種のコード、ケーブル類を手軽に巻いておくことができ、また、これらを連結しておくことにより小さなスペースにケーブル類をまとめることができる。その結果、機器から乱雑に伸びたケーブル類の外観が改善され、部屋の美観を著しく向上させることができる。
【０００９】
また、本考案のコード巻き取り器具は、冬場に使用するファンヒーターや、夏場に使用する扇風機など、使わない季節が存在する電気機器類のシーズンオフの際に電源コードを巻き取っておくのにも便利である。さらに、本考案のコード巻き取り器具を小型化すれば、パーソナルコンピュータのマウスのケーブルを巻き取るのにも使用することができる。
【考案を実施するための最良の形態】
【００１０】
以下、図面を参照しながら本考案の実施の形態について説明する。
【実施例１】
【００１１】
図１は、本考案によるコード巻き取り器具１０の外観を示す斜視図である。コード巻き取り器具１０は、好適にはポリスチレン、ポリプロピレン等の合成樹脂を材質とし、一体成型又は組み立てにより構成されている。なお、コード巻き取り器具１０の材質は、アクリル樹脂等の前記以外の合成樹脂、木材、アルミ等の金属類であってもよい。
【００１２】
コード巻き取り器具１０は、一対のフランジ部１１ａ，１１ｂと、巻き取り部１２と、脱線防止部１３を備えている。一対のフランジ部１１ａ，１１ｂは巻き取り部１２を挟んで対向して配置されており、好適には同一の又は近似した外周形状を備えている。図１の例においては、フランジ部１１ａの外周は略円形であり、フランジ部１１ｂの外周も同様に略円形である。フランジ部１１ａ，１１ｂの外周は、穴１６を中心としたときに巻き取り部１２の外周よりも大きい半径を有している。
【００１３】
脱線防止部１３は、フランジ部１１ｂに対して開閉可能であるようにフランジ部１１ａに連結されている。図１の例においては、脱線防止部１３はフランジ部１２ｂに係合した状態にて固定されるための爪１４を備えている。
【００１４】
図２は、脱線防止部１３がフランジ部１１ｂに対して閉じられた状態のコード巻き取り器具１０の外観を示す斜視図である。図１に示された状態から、脱線防止部１３の爪１４がフランジ１２ｂの切り欠き１９に入るように、手指により脱線防止部１３をフランジ部１１ｂの方向（図１の例においては巻き取り部１２に向かって左下又は下方向）に押すことにより、脱線防止部１３をフランジ部１１ｂに対して閉じることができる。
【００１５】
図３は、図１のコード巻き取り器具１０を図１とは反対の方向から見た斜視図である。コード巻き取り器具１０には、フランジ１１ａの側に凹部１５が設けられており、フランジ１１ｂには凹部１５に対応する同一寸法の凸部１７が設けられている。凹部１５と凸部１７には、これらを貫通する連続した穴１６が設けられている。
【００１６】
また、切り欠き１９の下方においては、脱線防止部１３の爪１４と係合するための溝１８ｂがフランジ１１ｂに設けられている。脱線防止部１３がフランジ部１１ｂに対して閉じた状態において、爪１４を溝１８ｂに嵌め込むことによって、脱線防止部１３がフランジ部１１ｂに対して閉じた状態に固定される。脱線防止部１３をフランジ部１１ｂに対して開いた状態に戻すことを容易にするために、フランジ部１１ｂには窪み１８ｃも設けられている。窪み１８ｃに指先を入れて爪１４を上方手前に引き起こすことによって、爪１４を溝１８ｂから容易に外すことができる。
【００１７】
コード巻き取り器具１０を使用する場合、まず脱線防止部１３が開いた状態にて、任意のコード、ケーブル類を巻き取り部１２に所望の回数だけ巻き付ける。次に、脱線防止部１３を閉じた状態にすれば、コード、ケーブル類はコード巻き取り器具１０から脱線することなく巻き取り部１２に巻き付けられた状態となる。
【００１８】
コード巻き取り器具１０にコード、ケーブル類を巻き付けた状態で床などに放置しても、ある程度は部屋の美観を改善することが可能であるが、さらに複数のコード巻き取り器具１０をまとめることも可能である。これは、一つのコード巻き取り器具１０の凹部１５を別のコード巻き取り器具１０の凸部１７に嵌め込むことにより実現される。また、コード巻き取り器具１０の穴１６に紐を通して別の物品とまとめたり、穴１６を壁に打ち付けた釘に引っ掛けたりすることによって、部屋の美観をさらに改善することも可能である。
【００１９】
図４は、本考案による別のコード巻き取り器具４０の外観を示す斜視図である。コード巻き取り器具４０は、脱線防止部４３が針金により構成されている点と、支持金具４３ａ，４３ｂが設けられている点を除き、コード巻き取り器具と同様の構成を有している。脱線防止部４３は、支持金具４３ａを軸に回転することが可能であり、脱線防止部４３の先端をもう一方の支持金具４３ｂに引っ掛けることにより、脱線防止部４３を閉じた状態にて固定することが可能である。
【００２０】
なお、脱線防止部４３と支持金具４３ｂの係合状態は図示していないが、例えば支持金具４３ｂの２つの先端がＵ字型になっているなどして、脱線防止部４３の先端に引っ掛けることが可能となっている。また、針金でなくとも、例えば十分な強度を有する合成樹脂や各種金属によっても、脱線防止部４３及び支持金具４３ａ，４３ｂを構成することは可能である。
【００２１】
図５は、本考案による別のコード巻き取り器具５０の外観を示す斜視図である。コード巻き取り器具５０は、フランジ５１ａ，５１ｂの外周の形状が略三角形である点を除き、コード巻き取り器具１０と同様の構成を有している。このように、コード巻き取り器具が略三角形の外観を有することによって、コード巻き取り器具使用時の部屋の美観をさらに向上させることができる。また、フランジの外周の形状を四角形、五角形等の別の多角形にしても、本考案の目的を達成することが可能である。
【００２２】
図６は、本考案による別のコード巻き取り器具６０の外観を示す斜視図である。コード巻き取り器具６０は、フランジ６１ａ，６１ｂの外周の形状が略三角形である点において図５のコード巻き取り器具５０と共通しているが、フランジ６１ａに凹部及び穴を有しない点においてコード巻き取り器具５０と異なる。
【００２３】
また、コード巻き取り器具６０においては、破損防止のために脱線防止部６３のコーナー６７ａ，６７ｂが補強されている。補強の態様は、単に材質の厚みを増しただけでも良いし、他の合成樹脂等の材料を追加したものであっても良い。
【００２４】
図７は、図６のコード巻き取り器具６０を図６とは反対の方向から見た斜視図である。フランジ６１ｂには穴６６のみが設けられており、図３のコード巻き取り器具１０における凸部１７に対応する部分は設けられていない。穴６６はフランジ６１ａには貫通しておらず、壁に打ち付けた釘に引っ掛けるなどの用途に用いられ得る。
【００２５】
また、フランジ６１ｂには、切り欠き６９の下部において外側に向かって爪６８が設けられている。爪６８は、脱線防止部６３の爪６４と係合することにより、脱線防止部６３がフランジ部６１ｂに対して閉じた状態にて固定するためのものである。
【００２６】
図６及び図７に示すように、コード巻き取り器具の連結機能をカットすることによってフラットな外観を呈することができ、コード巻き取り器具の使用時における部屋の美観をさらに向上させることができる。
【産業上の利用可能性】
【００２７】
電気機器のコード、ケーブル類と、その整理・収納用器具に適用することができる。また、ホース、ゴム、糸など、可撓性を有して巻き取ることが可能な各種部材の整理・収納用器具にも適用することが可能である。
【図面の簡単な説明】
【００２８】
【図１】本考案によるコード巻き取り器具の外観を示す斜視図である。
【図２】脱線防止部がフランジ部に対して閉じられた状態のコード巻き取り器具の外観を示す斜視図である。
【図３】図１のコード巻き取り器具を図１とは反対の方向から見た斜視図である。
【図４】本考案による別のコード巻き取り器具の外観を示す斜視図である。
【図５】本考案による別のコード巻き取り器具の外観を示す斜視図である。
【図６】本考案による別のコード巻き取り器具の外観を示す斜視図である。
【図７】図６のコード巻き取り器具を図６とは反対の方向から見た斜視図である。
【符号の説明】
【００２９】
１０，４０，５０，６０  コード巻き取り器具
１１ａ，１１ｂ，４１ａ，４１ｂ，５１ａ，５１ｂ，６１ａ，６１ｂ  フランジ部
１２，４２  巻き取り部
１３，４３，５３，６３  脱線防止部
１４，５４，６４，６８  爪
１５，４５，５５  凹部
１６，４６，５６，６６  穴
１７  凸部
１８ｂ  溝
１８ｃ  窪み
１９，５９，６９  切り欠き
４３ａ，４３ｂ  支持金具
６７ａ，６７ｂ  補強部
【図１】
0003170737.tif 000003
【図２】
0003170737.tif 000004
【図３】
0003170737.tif 000005
【図４】
0003170737.tif 000006
【図５】
0003170737.tif 000007
【図６】
0003170737.tif 000008
【図７】
0003170737.tif 000009